(57)【要約】【課題】センター飾り等のセンター役物の作製に用いる部品を一部共通化することにより、製造に要する期間を短縮し、製造コストを低減し得るようにした遊技機を提供する。【解決手段】本パチンコ機では、センター飾り２３が、種別毎に作製された複数の遊技部品（１３ａ〜１３ｄ、５９、６０、６１）と、該遊技部品を装着可能に形成されて他のセンター飾りの作製に共通に使用される汎用枠体２３ｃと、を有している。このため、新しい種類のセンター飾りを製造する場合、汎用枠体３２ｃはそのままで、該汎用枠体２３ｃに装着する遊技部品に係る設計を進めればよく、従って、製造に要する期間を短縮できると共に、汎用枠体２３ｃに係る金型の設計・製造を省くことでコストダウンも実現できる。【選択図】図３
2008161465.tif 000002
【特許請求の範囲】
【請求項１】
遊技盤の遊技領域にセンター役物を備え、前記遊技領域に遊技球を打ち出して遊技してなる遊技機において、
前記センター役物は、
種別毎に作製された複数の遊技部品と、
これら複数の遊技部品を装着可能に形成されて他のセンター役物の作製に共通に使用される汎用枠体と、を有してなる、
ことを特徴とする遊技機。
【請求項２】
前記センター役物は、
該センター役物に固有の専用枠体を有し、かつ前記遊技盤に形成された開口を介して該遊技盤を挟むように前記専用枠体と前記遊技部品を装着した前記汎用枠体とを結合することで組み立てられてなる、
請求項１記載の遊技機。
【請求項３】
前記センター役物が、ワープ導入口と、該ワープ導入口から導入された遊技球を転動させるステージと、を有し、かつ、
前記複数の遊技部品は、前記遊技領域を流下する遊技球の流路の一部を形成するガイド部材、前記ステージを構成するステージ部材、及び装飾部材のうちの少なくとも１種を含んでなる、
請求項１又は２記載の遊技機。
【請求項４】
前記汎用枠体が、前記複数の遊技部品を位置決め固定するための位置決め孔を有し、かつ、
該位置決め孔は、異なる種別間のサイズの違いに対応し得るように複数の無駄孔を含んでなる、
請求項１ないし３のいずれか１項記載の遊技機。
【発明の詳細な説明】
【技術分野】
【０００１】
本発明は、パチンコ機等の遊技機に係り、詳しくは遊技領域にセンター飾り等のセンター役物を備えた遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている。
【０００３】
このようなパチンコ機では、一般入賞口に入球した際にはそれに対応した個数の遊技球が払い出され、また始動チャッカーに入球した際にはこれに基づいて当たり外れや演出パターンの抽選が行われると共に所定数の遊技球が払い出される。この抽選結果に基づき選定された演出パターンに応じて、例えば遊技盤の中央部分に設けられた液晶表示画面や各種の照明装置を介した視覚的表現、スピーカを介した聴覚的表現などを用い、様々な演出が行われる。なお、当たり（以下、「大当たり」ともいう）の発生時（つまり、特別遊技状態の抽選に当選した時）には、アタッカーと呼ばれる大入賞口が開放し、入球に対応して多量の遊技球が払い出される遊技者に有利な特別遊技状態となる。
【０００４】
上述した従来のパチンコ機にあっては、遊技領域の中央部分にセンター飾りを備え、このセンター飾りの側部にワープ導入口を備え、このワープ導入口から入球した遊技球を始動チャッカー側に導くように転動させるステージを備えたものが存在する（特許文献１参照）。
【０００５】
【特許文献１】特開２００１−３２７６７２号公報
【発明の開示】
【発明が解決しようとする課題】
【０００６】
ところで、特許文献１に記載されるようなパチンコ機では、センター飾りの形状や扱うテーマが変わる度に、センター飾りの全体構成を変更しなければならず、その都度、新たに作製するセンター飾りに係る全ての部品の金型をそれぞれ設計し直さなければならず、それにより、設計に要する期間が長く必要になって製造時期が延びたり、金型製造にかかるコストが上昇したりする不都合があった。
【０００７】
そこで本発明は、センター飾り等のセンター役物の作製に用いる部品を一部共通化することにより、製造に要する期間を短縮し、製造コストを低減し得るように構成し、もって上述した課題を解決した遊技機を提供することを目的とするものである。
【課題を解決するための手段】
【０００８】
請求項１に係る本発明は（例えば図１ないし図７参照）、遊技盤（３）の遊技領域（３ａ）にセンター役物（２３）を備え、前記遊技領域（３ａ）に遊技球を打ち出して遊技してなる遊技機（１）において、
前記センター役物（２３）は、
種別毎に作製された複数の遊技部品（１３ａ，１３ｂ，１３ｃ，１３ｄ，５９，６０，６１）と、
これら複数の遊技部品（１３ａ〜１３ｄ，５９，６０，６１）を装着可能に形成されて他のセンター役物の作製に共通に使用される汎用枠体（２３ｃ）と、を有してなる、
ことを特徴とする遊技機（１）にある。
【０００９】
請求項２に係る本発明は（例えば図１ないし図６参照）、前記センター役物（２３）が、
該センター役物（２３）に固有の専用枠体（２３ｂ）を有し、かつ前記遊技盤（３）に形成された開口を介して該遊技盤（３）を挟むように前記専用枠体（２３ｂ）と前記遊技部品（１３ａ〜１３ｄ，５９，６０，６１）を装着した前記汎用枠体（２３ｃ）とを結合することで組み立てられてなる、
請求項１記載の遊技機（１）にある。
【００１０】
請求項３に係る本発明は（例えば図１ないし図６参照）、前記センター役物（２３）が、ワープ導入口（３７ａ，３７ｂ）と、該ワープ導入口（３７ａ，３７ｂ）から導入された遊技球を転動させるステージ（Ｓ）と、を有し、かつ、
前記複数の遊技部品は、前記遊技領域（３ａ）を流下する遊技球の流路の一部を形成するガイド部材（１３ａ〜１３ｄ）、前記ステージ（Ｓ）を構成するステージ部材（５９，６０）、及び装飾部材（６１）のうちの少なくとも１種を含んでなる、
請求項１又は２記載の遊技機（１）にある。
【００１１】
請求項４に係る本発明は（例えば図４ないし図６参照）、前記汎用枠体（２３ｃ）が、前記複数の遊技部品を位置決め固定するための位置決め孔（６２）を有し、かつ、
該位置決め孔（６２）は、異なる種別間のサイズの違いに対応し得るように複数の無駄孔を含んでなる、
請求項１ないし３のいずれか１項記載の遊技機（１）にある。
【００１２】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１３】
請求項１に係る本発明によると、センター役物が、種別毎に作製された複数の遊技部品と、該複数の遊技部品を装着可能に形成されて他のセンター役物の作製に共通に使用される汎用枠体とを有するので、新しい種類のセンター役物を製造する場合、汎用枠体はそのままで、該汎用枠体に装着する遊技部品に係る設計を進めればよく、従って、製造に要する期間を短縮できると共に、汎用枠体に係る金型の設計・製造を省くことでコストダウンも実現することができる。
【００１４】
請求項２に係る本発明によると、センター役物が、該役物に固有の専用枠体を有し、遊技盤を挟むように専用枠体と汎用枠体とを結合することで組み立てられるので、センター役物の組立てを容易にし、製造ライン上の工程を簡略化することができる。
【００１５】
請求項３に係る本発明によると、複数種の遊技部品が、遊技球の流路の一部を形成するガイド部材、ステージを構成するステージ部材、及び装飾部材のうちの少なくとも１種を含むので、これら遊技部品を必要に応じて汎用枠体に装着することで、センター役物に必要な遊技機能を簡単に充足させることができる。
【００１６】
請求項４に係る本発明によると、汎用枠体が、複数の遊技部品を位置決め固定するための位置決め孔を有し、かつ該位置決め孔が、異なる種別間のサイズの違いに対応し得るように複数の無駄孔を含んでいるので、汎用枠体を、種別の異なるセンター役物に対応したサイズの異なる各遊技部品にフレキシブルに対応できる、取り扱い性の良いものにすることができる。
【発明を実施するための最良の形態】
【００１７】
以下、本発明に係る遊技機の実施形態として、遊技場等に設置されるパチンコ機を図面に沿って説明する。後述する各実施の形態では、本発明の遊技機を所謂１種１種のパチンコ機として述べるが、本発明はこれに限らず、他の種別のパチンコ機にも適用可能であることは勿論である。なお、図１は、本発明の実施形態におけるパチンコ機１の外部構造を示す正面図である。
【００１８】
本パチンコ機１は、図１に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生した状態でアタッカー５に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００１９】
図１に示すように、本実施形態におけるパチンコ機１は、開口を有する枠体状の筐体６と、この筐体６に開閉可能に装着された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における遊技盤３の上部中央には演出用照明装置８が配設されている。そして、前扉７における遊技盤３の左右上方及び左右下方にはスピーカー（図示せず）を有する放音装置１２がそれぞれ配設されている。また、ガラス枠１０における右側部には、前扉７を筐体６側に施錠し解放するための施錠装置１３が配設されている。なお、筐体６及び前扉７等から遊技機本体が構成されている。
【００２０】
前扉７における遊技盤３の下方には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６には、該皿ユニット１６上の遊技球を発射装置（図示せず）付近から皿ユニット下部の球排出口（図示せず）を通して下方に排出するための第１球抜きボタン２０ａと、皿ユニット１６上の遊技球を球供給口１７付近から上記球排出口を通して下方に排出するための第２球抜きボタン２０ｂとが設けられている。
【００２１】
また、皿ユニット１６の右部には、発射装置を操作して遊技球を遊技領域３ａに向けて打ち出すための発射ハンドル２が配設されている。更に、皿ユニット１６の左下方には灰皿２１、及び遊技者参加ボタン（所謂チャンスボタン）２２が配設されている。なお、図１中の符号１４は、発射ハンドル２の操作で発射された遊技球を遊技領域３ａに導くガイドレールを示している。
【００２２】
遊技領域３ａの中央部には、該遊技領域３ａに打ち出された遊技球の一部を導入するワープ導入口３７ａ，３７ｂを有するセンター飾り（センター役物）２３が配設されている。このセンター飾り２３の中央部分には開口部３６が形成され、かつ該開口部３６の上部中央には演出装置３３が配置され、該開口部３６の下部にはステージＳが配置されている。遊技盤３には画像表示装置３５が、開口部３６から画面３５ａを露出させた状態で遊技盤裏面から装着されている。センター飾り２３の下部左右には、大当たり抽選に寄与しない一般の入賞が行われる一般入賞口２５ａ，２５ｂ，２６ａ，２６ｂが配設されており、センター飾り２３の下方には、第１及び第２始動チャッカー２７，２８と、アタッカー５とが順次配設されている。
【００２３】
第１及び第２始動チャッカー２７，２８は、大当たり抽選実行の契機となり得る入賞が行われるものであり、第２始動チャッカー２８は、始動チャッカー開閉ソレノイド７０（図９参照）によって開放位置と閉止位置とに開閉動作するように作動させられる。第１始動チャッカー２７の直上方には、所謂命釘としての一対の障害釘３０が打ち込まれている。第２始動チャッカー２８は、直上方に配置された第１始動チャッカー２７の底部により、図１に示す閉塞状態では遊技球を入賞しないように構成されている。
【００２４】
アタッカー５は、大当たり発生時に開放され、遊技領域３ａに打ち出されて転動落下する遊技球を入賞させるものであり、大当たり発生中、例えば、１回の開放で９個の入球を完了した時点で閉じ、当該開閉動作を１５回繰り返すように構成される。なお、これらの入球数並びに開閉動作の回数は、９個や１５回に限定されることはなく、必要に応じて適宜設定され得るものである。
【００２５】
遊技領域３ａには、センター飾り２３の中央部左右に風車３１が配設されており、ステージＳの下方における第１及び第２始動チャッカー２７，２８の左右には、普通図柄作動ゲート（スルーゲート）３２が配設されている。この普通図柄作動ゲート３２は、第２始動チャッカー２８を開閉動作させるための抽選の契機となる遊技球通過が行われる役物である。
【００２６】
そして、遊技領域３ａにおける普通図柄作動ゲート３２、一般入賞口２５ａ，２５ｂ，２６ａ，２６ｂ、第１及び第２始動チャッカー２７，２８等の周囲には、ステージＳから零れた遊技球や、発射されてからステージＳに関与せずに落下してくる遊技球を適宜散らし、或いは入球に導くようにするための障害釘３０を含む多数の障害釘が打ち込まれている。また、ワープ導入口３７ａ，３７ｂの周囲及びその上方側にも、遊技球を適宜散らし、或いは入球に導くようにするための多数の障害釘が打ち込まれている。このような本パチンコ機１では、遊技領域３ａに打ち出された遊技球を第１及び第２始動チャッカー２７，２８等に、ステージＳを介して入球させ又はステージＳを介さず直接入球させ得るように遊技が進められる。
【００２７】
なお、本実施形態における「ワープ導入」という語句は、遊技領域３ａに打ち出された遊技球を、当該遊技領域３ａの比較的下側に位置する不図示の道釘等を経ることなく、第１始動チャッカー２７の上に導くことを意味する概念である。また、上記「道釘」とは、遊技領域３ａにおいて第１始動チャッカー２７左右に打ち込まれた複数本の障害釘（図示せず）の列を意味するもので、上方から転動落下してきた遊技球を第１及び第２始動チャッカー２７，２８方向に導く役割を担っている。
【００２８】
次に、本パチンコ機１におけるセンター飾り２３の構造を、図２ないし図７を参照して詳細に説明する。なお、図２はセンター飾り２３を遊技盤３から取り外した状態で示す正面図、図３はセンター飾り２３の前枠体２３ａを右斜め方向からやや見下ろす状態で示す斜視図、図４は汎用枠体２３ｃに複数の被覆部材（遊技部品）を装着した状態で示す正面図、図５は汎用枠体２３ｃを単体で示す斜視図、図６は汎用枠体２３ｃを単体で示す正面図、図７は図２のＡ−Ａ線に沿って断面した状態で示す側面断面図である。
【００２９】
図２ないし図７に示すように、センター飾り２３は、種別毎に作製された遊技部品である被覆部材１３ａ〜１３ｄ、ステージ部材５９、ステージ前飾り６０及び飾り部材６１と、これら遊技部品（１３ａ〜１３ｄ，５９，６０，６１）を装着可能に形成されて他のセンター飾りの作製に共通に使用される汎用枠体２３ｃと、該センター飾り２３に固有の後枠体（専用枠体）２３ｂと、を有している。なお、被覆部材１３ａ〜１３ｄは、遊技領域３ａを流下する遊技球の流路の一部を形成するガイド部材を構成している。また、ステージ部材５９とステージ前飾り６０は、ステージＳを構成するステージ部材を構成しており、飾り部材６１は装飾部材を構成している。
【００３０】
このようなセンター飾り２３は、遊技盤３に形成された開口（図示せず）を介して該遊技盤３を挟むように、後枠体２３ｂと、上記遊技部品（１３ａ〜１３ｄ，５９，６０，６１）を装着した汎用枠体２３ｃ（即ち、前枠体２３ａ）とを結合することにより組み立てられる。つまり、前枠体２３ａと後枠体２３ｂは、遊技盤３の開口を前後から挟んだ状態で、該遊技盤３の表面と裏面とにそれぞれネジ止めされる。これら枠体２３ａ，２３ｂは、遊技盤３を挟んで結合された状態で開口部３６を形成する。また、前枠体２３ａの周囲には、汎用枠体２３ｃに装着固定された被覆部材１３ａ，１３ｂ，１３ｃ，１３ｄにそれぞれ設けられたブラケット５６が外方に張り出している。
【００３１】
すなわち、上述のように組立てられたセンター飾り２３は、図１及び図２に示すように、開口部３６の左右に形成されたワープ導入口３７ａ，３７ｂと、開口部３６の上側に配置された演出装置３３と、開口部３６の下側に設けられたステージＳと、下部中央に設けられた球放出部４９と、開口部３６の左右にそれぞれ配置された演出用照明装置５５ａ，５５ｂと、を有している。球放出部４９は、第１始動チャッカー２７の直上方に位置し、放出されて落下する遊技球が一対の障害釘３０の間を通って第１始動チャッカー２７にほぼ確実に（つまり、９７〜９９％の高確率で）入賞し得るように位置決め形成されている。
【００３２】
センター飾り２３は、開口部３６の左方に位置する上記ワープ導入口３７ａから導入される遊技球をステージＳに案内する遊技球案内路５７と、開口部３６の右方に位置する上記ワープ導入口３７ｂから導入される遊技球をステージＳに案内する遊技球案内路５８と、を有している。
【００３３】
ステージＳは、遊技球案内路５７，５８により導入された遊技球を転動させる転動路を形成する膨出部３４を有している。この膨出部３４には、遊技球案内路５７，５８から放出されて案内路４２（図３及び図４参照）を通過した遊技球をステージＳの反対側に通過させるように形成された転動路３４ｂと、該転動路３４ｂから落下して膨出部３４の前側の転動路４８を転動する遊技球の一部を落下させて球放出部４９に導く落下案内孔３４ａとが形成されている。
【００３４】
また、図２、図３及び図７に示すように、センター飾り２３の左右下方には、このセンター飾り２３とは別個に遊技盤３に装着固定されるユニット部材２９ａ，２９ｂが配置されている。ユニット部材２９ａは、左流路４ａを流下する遊技球の一部を弾接させて、上述した下段側の道釘（図示せず）に導く道釘として機能する案内部２４ａと、一般入賞口２５ａ，２５ｂと、を一体に有している。また、ユニット部材２９ｂは、右流路４ｂを流下する遊技球の一部を弾接させて、下段側の道釘（図示せず）に導く道釘として機能する案内部２４ｂと、一般入賞口２６ａ，２６ｂと、を一体に有している。
【００３５】
図３に示すように、センター飾り２３の前枠体２３ａは、画面３５ａの周囲に位置して被覆部材１３ａ〜１３ｄを四隅に装着固定する上述の汎用枠体２３ｃを有している。該汎用枠体２３ｃは、透明部材により形成されており、図５及び図６に示すように、種類の異なるセンター飾りの核として共通に使用され得る。
【００３６】
汎用枠体２３ｃは、図４ないし図６に示すように、演出装置３３を配置する開口３９（図３参照）を形成するように上方に張り出した張出し部６４を上部に有し、複数の位置決め孔６２を周囲縁部に有し、ステージ部材５９やステージ前飾り６０を装着固定するステージ形成部６３を下部に有している。張出し部６４内には、演出装置３３の一部を成す飾り部材６１が装着されている。
【００３７】
上記被覆部材１３ａ〜１３ｄは、全て透明部材により形成されており、センター飾り２３としての開口部３６に合致する汎用枠体２３ｃの開口部６５の四隅に位置するように、それぞれ該汎用枠体２３ｃにネジ止めされている。このように装着された被覆部材１３ａ〜１３ｄは、汎用枠体２３ｃを含む前枠体２３ａと、後枠体２３ｂとを結合してセンター飾り２３を組み立てた際に、開口部３６の隅部３６ａ，３６ｂ，３６ｃ，３６ｃ（図２参照）の前側にそれぞれ対向して位置する。
【００３８】
なお、上記透明部材として、プラスチックや強化ガラス等を採用することができる。本実施形態における上記透明部材の「透明」は、光透過性が極めて高い無色透明のみを意味するのではなく、光透過性があまり高くない半透明、或いは、着色された透明や半透明をも含む概念である。
【００３９】
上記位置決め孔６２は、被覆部材１３ａ，１３ｂ，１３ｃ，１３ｄ、ステージ部材５９、ステージ前飾り６０、飾り部材６１をそれぞれ位置決め固定するために複数個が設けられている。これら位置決め孔６２には、図示はしないが、別のセンター飾りの製造に際し異なる種別間のサイズの違いに対応し得るように設けられた複数の無駄孔が含まれている。これにより、汎用枠体２３ｃを、種別の異なるセンター飾りに対応したサイズの異なる各遊技部品にフレキシブルに対応できる、取り扱い性の良いものとなっている。
【００４０】
上記被覆部材１３ａ，１３ｂは、それぞれ、画面３５ａ側の曲率中心を中心として略円弧状に描いたような形状を呈しており、隅部３６ａ，３６ｂの前側に配置された状態で、遊技領域３ａにおける演出装置３３付近に打ち出された遊技球を流路４ａ，４ｂ側に導く分割流路（図示せず）を内部に有している。被覆部材１３ａ，１３ｂの各分割流路は、遊技領域３ａに打ち出された遊技球を流下させる左流路４ａ，右流路４ｂの一部としてそれぞれ機能する。上記被覆部材１３ｃ，１３ｄは、それぞれ、隅部３６ｃ，３６ｄの前側に配置された状態で、遊技領域３ａの流路４ａ，４ｂを流下して風車３１等で方向を変えられてくる遊技球を第１始動チャッカー２７側に導く「道釘」の役割を担う上記案内部１８を有している。
【００４１】
また、被覆部材１３ａ，１３ｂが、遊技領域３ａに打ち出された遊技球を流下させる流路４ａ，４ｂの一部として機能するので、画面３５ａの前側にあって流路の一部として機能して弾球遊技を円滑に進展させながらも、透明部材から形成されることで、画面の視認性を損なうことがない。また、被覆部材１３ｃ，１３ｄは、流下する遊技球を第１始動チャッカー２７に案内する道釘の一部として機能するので、画面３５ａの前側にあって道釘の一部として弾球遊技を円滑に進展させながらも、透明部材から形成されることで、画面３５ａの視認性を損なうようなことがない。
【００４２】
ついで、本パチンコ機１の背面構造について図８を参照して説明する。同図は、本パチンコ機１の背面構造を示す背面図である。
【００４３】
すなわち、図８に示すように、パチンコ機１の前扉背面における上部左方には、賞球タンク４３が取り付けられており、この賞球タンク４３の下方に、サブ制御基板３８、主制御基板４０、及び払出し制御基板５１がこの順に配設されている。また、前扉背面における上部右方には、外部端子板５２が取り付けられており、この外部端子板５２の下方に、整列待機通路４５、賞球装置４６、賞球排出通路４７、電源ユニット４１、及び発射装置（図示せず）用の発射制御基板５３がこの順に配設されている。パチンコ機１の前扉背面における左側部には、施錠装置１３が配設されている。
【００４４】
次に、本実施形態におけるパチンコ機１の制御系を図９に沿って説明する。なお、同図は本パチンコ機の制御系を示すブロック図である。
【００４５】
すなわち、本制御系は、遊技制御装置８０と、該遊技制御装置８０に電気的に接続された、始動チャッカー開閉ソレノイド７０、アタッカー開閉ソレノイド７１、放音装置１２、演出用照明装置８，１１、及び画像表示装置３５と、を備えている。
【００４６】
遊技制御装置８０は、図８に示した主制御基板４０やサブ制御基板３８等から構成されている。主制御基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、サブ制御基板３８は、主に画像表示、効果音等の演出、効果光等の表示制御を行うように構成されている。
【００４７】
遊技制御装置８０は、入賞判定手段８１、入賞信号出力手段８２、第１抽選手段８３、第２抽選手段８４、普通図柄抽選手段９４、遊技制御手段８６、保留手段８７、作動制御手段８８、作動判定手段８９、作動決定手段９０、演出制御手段９１、及び表示制御手段９２を備えている。
【００４８】
入賞判定手段８１は、発射ハンドル２の操作で作動する発射装置（図示せず）によって遊技領域３ａに打ち出された遊技球が第１及び第２始動チャッカー２７，２８、一般入賞口２５ａ，２５ｂ，２６ａ，２６ｂ、アタッカー５等の何れかに入賞したとき、当該入賞があった旨を判定する。
【００４９】
入賞信号出力手段８２は、入賞判定手段８１によって入賞が判定されたとき、対応する第１及び第２始動チャッカー２７，２８、一般入賞口２５ａ，２５ｂ，２６ａ，２６ｂ、アタッカー５等に入賞した旨の入賞信号を出力する。
【００５０】
第１抽選手段８３及び第２抽選手段８４は、それぞれ、入賞信号出力手段８２からの第１及び第２始動チャッカー２７，２８に対応する入賞信号の入力時、合計の最大保留球数未満での入賞を契機として、次なる大当たりを当選させるまで遊技者に有利な付加価値を付与し得る特殊状態となる確率変動当たり、及び上記特殊状態とならない通常当たりのうちの何れか一方に当選するように、不図示の抽選用メモリから当たり当選乱数値を取得して、大当たり抽選（特別遊技状態の抽選）を実行する。
【００５１】
そして第１及び第２抽選手段８３，８４は、それぞれ、大当たり抽選で確変当たりに当選した場合、不図示の演出用メモリに格納された演出乱数値に基づく抽選で、変動の結果、確変当たりに対応する「１１１」等の図柄が画像表示装置３５の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。
【００５２】
また第１及び第２抽選手段８３，８４は、それぞれ、大当たり抽選で通常当たりが当選した場合に、演出乱数値に基づく抽選で、変動の結果、通常当たりに対応する「２２２」等の図柄が大当たり有効ライン上で最終的に揃う旨の変動パターンを決定し、その旨の変動パターン信号を出力する。更に第１及び第２抽選手段８３，８４は、それぞれ、大当たり抽選で外れた場合に、演出乱数値に基づく抽選で、変動の結果、外れに対応する「２５２」等の図柄が大当たり有効ライン上で最終的に揃う旨の変動パターンを決定し、その旨の変動パターン信号を出力する。
【００５３】
普通図柄抽選手段９４は、第２始動チャッカー２８を開閉動作させるための普通図柄抽選を、普通図柄作動ゲート３２への遊技球通過を契機として行う。
【００５４】
遊技制御手段８６は、放音装置１２、演出用照明装置８，１１に放音、発光の演出をさせる契機となる指令を、演出制御手段９１に送る。また、遊技制御手段８６は、予め設定された演出データや、第１及び第２抽選手段８３，８４での抽選結果に応じて、画像表示装置３５に表示すべき大当たり抽選に関連する演出内容に関する信号を表示制御手段９２に送る。
【００５５】
保留手段８７は、第１、第２抽選手段８３，８４のいずれかから出力された変動パターン信号を入力し、変動パターンを、第１、第２始動チャッカー２７，２８への入賞の都度に行われた抽選の結果となる保留球として順次記憶する。当該記憶状況は、大当たり抽選保留表示装置（図示せず）に、始動チャッカー２７，２８双方での合計が例えば最大４個の保留球となるように点灯表示される。保留手段８７は、合計の保留球数が例えば４個になっているか否かを常時判定し、保留球数が４個表示されている間は、第１、第２始動チャッカー２７，２８への入賞に拘わらず大当たり抽選は行わない。なお、保留球として点灯表示される保留球数は上記「最大４個」に限らず、例えば３個以下、又は５個以上として適宜設定することも可能である。
【００５６】
そして保留手段８７は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段８７は、保留球の消費に応じて保留球数が例えば４個未満となった場合、第１、第２抽選手段８３，８４で行われる第１、第２始動チャッカー２７，２８への入賞に応答した大当たり抽選の結果を保留球として記憶し、保留球数を１インクリメントする。
【００５７】
作動制御手段８８は、作動決定手段９０の作動開始決定の旨の信号に基づき、始動チャッカー開閉ソレノイド７０に駆動信号を送って該ソレノイド７０を作動させ、第２始動チャッカー２８を開放又は閉塞動作させる。更に作動制御手段８８は、アタッカー開閉ソレノイド７１に駆動信号を送って該ソレノイド７１を作動させ、第１、第２抽選手段８３，８４での抽選による大当たり発生時にアタッカー５を開放して所定数入賞が終了する（又は所定時間が経過する）毎に閉塞する動作を所定回数（所定ラウンド）だけ繰り返すように制御する。
【００５８】
作動判定手段８９は、始動チャッカー開閉ソレノイド７０及びアタッカー開閉ソレノイド７１を作動させるための条件を満たすか否かを判定する。つまり、始動チャッカー開閉ソレノイド７０にあって、第２始動チャッカー２８の開閉の「条件を満たす」時とは、普通図柄抽選手段９４において第１及び第２抽選手段８３，８４の大当たり抽選とは別途行われる普通図柄抽選で当選した場合である。アタッカー開閉ソレノイド７１にあって、アタッカー５の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー５の閉塞の「条件を満たす」時とは、大当たり発生時の全てのラウンドにおける入賞を完了した場合である。
【００５９】
作動決定手段９０は、作動判定手段８９からの判定信号を受けて、始動チャッカー開閉ソレノイド７０、アタッカー開閉ソレノイド７１の作動開始をそれぞれに決定する。
【００６０】
演出制御手段９１は、遊技制御手段８６からの指令に応答して、放音装置１２を放音駆動し、演出用照明装置８，１１を発光駆動し、遊技者の聴覚や視覚に訴える演出を行う。
【００６１】
表示制御手段９２は、遊技制御手段８６からの信号に従って、画像表示装置３５を駆動し、大当たり抽選結果を中心とした内容等の演出を、遊技者の視覚に訴えるように演出表示する。その際、表示制御手段９２は、第１及び第２抽選手段８３，８４それぞれによる各抽選結果を、画像表示装置３５の画面３５ａに時系列的に表示する。
【００６２】
また、始動チャッカー開閉ソレノイド７０は、作動制御手段８８から送信された駆動信号に応答してプランジャ（図示せず）を進退動作させて、第２始動チャッカー２８を開閉動作させる。アタッカー開閉ソレノイド７１は、作動制御手段８８から送信された駆動信号に応答してプランジャ（図示せず）を進退動作させて、アタッカー５を開閉動作させる。
【００６３】
放音装置１２は、演出制御手段９１の制御に従ってスピーカー（図示せず）を駆動させ、演出に応じた効果音を発する。演出用照明装置８，１１は、演出制御手段９１の制御に従ってその内蔵する電飾ランプ（図示せず）を発光駆動（点灯、点滅）させ、演出に応じた照明を行う。画像表示装置３５は、表示制御手段９２の制御に従って作動し、演出データや第１、第２抽選手段８３，８４での抽選結果に応じた演出表示を行う。
【００６４】
次に、本パチンコ機１による作用について、図１０のフローチャートを併せて参照しつつ説明する。
【００６５】
すなわち、本パチンコ機１に対面して着座した遊技者が発射ハンドル２を握り、適宜の角度に回動操作すると（ステップＳ１）、発射装置の作動で遊技球が所定の時間間隔で遊技領域３ａに向けて連続的に発射される。すると、遊技領域３ａに打ち出されて転動落下する多数の遊技球は、第１、第２始動チャッカー２７，２８や一般入賞口２５ａ，２５ｂ，２６ａ，２６ｂに適時入賞し、或いは、これらに関与せずに転動落下して、遊技領域３ａ最下部のアウト口（図示せず）から遊技盤３背面側に排出される。
【００６６】
遊技領域３ａに打ち出された遊技球の一部がワープ導入口３７ａ又はワープ導入口３７ｂに入球すると、その遊技球は、遊技球案内路５７又は遊技球案内路５８を介してステージＳに放出される。この際、例えば遊技球案内路５７側から放出された遊技球は、案内路４２を通過し、転動路３４ｂを経由して遊技球案内路５８側に転動し、ステージＳの右端から転動路４８側に落下して転動する。この際、落下案内孔３４ａに上手く落下した遊技球は高い入賞確率（略１００％）で第１始動チャッカー２７に入賞する。
【００６７】
球放出部４９から放出された遊技球は、上述のように高確率で第１始動チャッカー２７に入賞することになるが、障害釘３０への当接状況によっては入賞できないこともある。一方、落下案内孔３４ａに導入されない遊技球の多くは、ステージＳ下方に放出されて第１始動チャッカー２７とは異なる方向に落下するが、球放出部４９の上部に位置する凹部５０に上手く乗ったものは該凹部５０から第１始動チャッカー２７側に落下する。また、場合によっては、第１始動チャッカー２７とは異なる方向に落下しても、障害釘３０の左右に打ち込まれた所謂ジャンプ釘（図示せず）や、このジャンプ釘から左右方向に配列された道釘（図示せず）で弾き返されることで、障害釘３０に絡んでその間を落下して第１始動チャッカー２７に入賞するものある。
【００６８】
ところで、第１及び第２始動チャッカー２７，２８や一般入賞口２５ａ，２５ｂ，２６ａ，２６ｂの何れかに遊技球が入賞した場合には、入賞判定手段８１が当該入賞を判定し、且つ入賞信号出力手段８２が入賞信号を出力する（ステップＳ２）。
【００６９】
そして、大当たり抽選で当選した場合（ステップＳ３）、第１、第２抽選手段８３，８４のうち該当する側が当たりフラグをオンすると、演出用メモリに格納された演出乱数値に基づく抽選で、大当たりの種別、つまり確変当たり又は通常当たりに対応する変動パターンが決定される。
【００７０】
これにより、ステップＳ４において、画像表示装置３５に表示されるべき当たり図柄がセットされ、第１抽選手段８３又は第２抽選手段８４は、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。一方、大当たり抽選で外れた場合には、演出用メモリに格納された演出乱数値に基づく抽選で、変動の結果、外れに対応する図柄が最終的に揃う旨の変動パターンが決定される。これにより、画像表示装置３５に表示される外れ図柄がセットされ、第１抽選手段８３又は第２抽選手段８４は、その旨の変動パターン信号を出力すると共に、図柄変動禁止フラグをオンし、図柄変動タイマをセットし、変動パターン信号の送信に応じて保留球数を１デクリメントする。
【００７１】
以上のようにして、遊技制御手段８６が、画像表示装置３５の画面３５ａに表示すべき演出内容に関する信号を、表示制御手段９２に送信することに基づき、表示制御手段９２は、画像表示装置３５を適時駆動し、大当たり抽選結果に関する内容等を、遊技者の視覚に訴えるように演出表示することとなる（ステップＳ５）。この際、遊技制御手段８６から指令が出ていれば、演出制御手段９１は、画面３５ａ上の演出に合わせて、放音装置１２を放音駆動し、或いは、演出用照明装置８，１１を発光駆動して、演出を盛り上げるように作動制御する。
【００７２】
そして、画像表示装置３５の画面３５ａ上に表れた抽選結果が大当たり決定である場合、作動制御手段８８は、作動決定手段９０の作動開始決定の旨の信号に基づき、所定のタイミングでアタッカー開閉ソレノイド７１に駆動信号を送り、当該ソレノイド７１を作動させてアタッカー５を開放し、所定数入賞が終了する（又は所定時間が経過する）毎に閉塞する動作を所定回数（所定ラウンド）だけ繰り返させる。これにより、アタッカー５に入賞した遊技球に対応する多量の遊技球が球供給口１７から皿ユニット１６に払い出されることとなる（ステップＳ６）。
【００７３】
以上説明した本実施形態では、センター飾り２３が、種別毎に作製された複数の遊技部品（１３ａ〜１３ｄ、５９、６０、６１）と、該複数の遊技部品を装着可能に形成されて他のセンター飾りの作製に共通に使用される汎用枠体２３ｃとを有している。これにより、新しい種類のセンター飾りを製造する場合、汎用枠体３２ｃはそのままで、該汎用枠体２３ｃに装着する遊技部品に係る設計を進めればよく、従って、製造に要する期間を短縮できると共に、汎用枠体２３ｃに係る金型の設計・製造を省くことでコストダウンも実現することができる。
【００７４】
また、センター飾り２３が、該センター飾り２３に固有の専用枠体である後枠体２３ｂを有し、遊技盤３を挟むように後枠体２３ｂと汎用枠体２３ｃとを結合することで組み立てられるので、センター飾り２３の組立てを容易にし、製造ライン上の工程を簡略化することができる。そして、遊技部品として、被覆部材１３ａ，１３ｂ，１３ｃ，１３ｄ、ステージ部材５９、ステージ前飾り６０、飾り部材６１を有するので、これら遊技部品を必要に応じて汎用枠体２３ｃに装着することで、センター飾り２３に必要な遊技機能を簡単に充足させることができる。
【００７５】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００７６】
【図１】本発明の実施形態におけるパチンコ機の外部構造を示す正面図である。
【図２】センター飾りを遊技盤から取り外した状態で示す正面図である。
【図３】センター飾りの前枠体を右斜め方向からやや見下ろす状態で示す斜視図である。
【図４】汎用枠体に複数の遊技部品を装着した状態で示す正面図である。
【図５】汎用枠体を単体で示す斜視図である。
【図６】汎用枠体を単体で示す正面図である。
【図７】図２のＡ−Ａ線に沿って断面した状態で示す側面断面図である。
【図８】本実施形態のパチンコ機の背面構造を示す背面図である。
【図９】本パチンコ機の制御系を示すブロック図である。
【図１０】本パチンコ機による作用を説明するためのフローチャートである。
【符号の説明】
【００７７】
１    遊技機（パチンコ機）
３    遊技盤
３ａ    遊技領域
１３ａ，１３ｂ，１３ｃ，１３ｄ    遊技部品、ガイド部材（被覆部材）
２３    センター役物（センター飾り）
２３ａ    前枠体
２３ｂ    専用枠体（後枠体）
２３ｃ    汎用枠体
５９，６０    遊技部品、ステージ部材（ステージ部材、ステージ前飾り）
６１    遊技部品、装飾部材（飾り部材）
６２    位置決め孔
【図１】
2008161465.tif 000003
【図２】
2008161465.tif 000004
【図３】
2008161465.tif 000005
【図４】
2008161465.tif 000006
【図５】
2008161465.tif 000007
【図６】
2008161465.tif 000008
【図７】
2008161465.tif 000009
【図８】
2008161465.tif 000010
【図９】
2008161465.tif 000011
【図１０】
2008161465.tif 000012